(57)【特許請求の範囲】
【請求項１】
周波数多重された複数のチャネルが含まれた信号を受信する受信部と、
前記受信部において受信すべき信号のうち、抽出すべき少なくともふたつのチャネルを設定する設定部と、
前記設定部において設定した少なくともふたつのチャネルを抽出するための周波数特性を生成する生成部と、
前記生成部において生成した周波数特性によって、前記受信部において受信した信号から、少なくともふたつのチャネルを抽出するフィルタ部と、
前記フィルタ部において抽出した少なくともふたつのチャネルを周波数多重された信号として送信する送信部とを備え、
前記生成部は、少なくともふたつのチャネルのそれぞれに対して強度を測定する手段と、少なくともふたつのチャネルを抽出するような周波数特性を生成する際に、測定した強度の大きいチャネルに対する利得を小さくし、測定した強度の小さいチャネルに対する利得を大きくする手段とを含み、
前記生成部は、複数のチャネルのそれぞれを抽出するための周波数特性を時間領域のタップ係数として予め複数種類保持しており、前記設定部において設定した少なくともふたつのチャネルに応じて、保持した複数種類の時間領域のタップ係数の中から該当するタップ係数を選択する手段と、前記設定部において設定した少なくともふたつのチャネルのそれぞれに対して、信号強度を測定し、測定した信号強度をチャネル番号に対応づけながら出力する手段と、抽出すべきチャネルのそれぞれに対応した信号強度を受けつけ、信号強度の大きいチャネルに対する利得を小さくし、信号強度の小さいチャネルに対する利得を大きくする手段と、抽出すべきチャネルに対する利得を増幅率とし、それぞれのチャネルに対応する増幅率によりタップ係数を増幅する手段と、それぞれのチャネルに対応する増幅したタップ係数を合成する手段と、を含むことを特徴とする中継装置。
【請求項２】
周波数多重された複数のチャネルが含まれた信号を受信する受信部と、
前記受信部において受信すべき信号のうち、抽出すべき少なくともふたつのチャネルを設定する設定部と、
前記設定部において設定した少なくともふたつのチャネルを抽出するための周波数特性を生成する生成部と、
前記生成部において生成した周波数特性によって、前記受信部において受信した信号から、少なくともふたつのチャネルを抽出するフィルタ部と、
前記フィルタ部において抽出した少なくともふたつのチャネルを周波数多重された信号として送信する送信部とを備え、
前記生成部は、少なくともふたつのチャネルのそれぞれに対して強度を測定する手段と、少なくともふたつのチャネルを抽出するような周波数特性を生成する際に、測定した強度の大きいチャネルに対する利得を小さくし、測定した強度の小さいチャネルに対する利得を大きくする手段とを含み、
前記生成部は、少なくともふたつのチャネルのそれぞれを抽出するような少なくともふたつの周波数特性を切りかえながら生成する手段と、少なくともふたつのチャネルの強度を切りかえながら測定する手段と、少なくともふたつのチャネルの強度を測定した後に測定を停止する手段とを含むことを特徴とする中継装置。
【発明の詳細な説明】
【技術分野】
【０００１】
本発明は、中継装置に関し、特に複数のチャネルによって形成された信号を中継する中継装置に関する。
【背景技術】
【０００２】
テレビジョン放送システム等の放送システムにおいては、放送局から電磁波として信号が送信される。受信機は、放送局から送信された信号を受信し、受信した信号から画像情報、音声情報等を取得する。放送局が送信する信号については、放送局が放送圏とする地域に存在する受信機において所定の品質の情報が得られるよう、送信電力、所望信号対妨害波比等の規定が定められている。しかしながら、放送局がその規定を満足する信号を送信したとしても、放送圏内において電磁波の障害物等が存在すると、受信機において受信される信号の電界強度が不十分となり、放送圏内において所定の品質の情報が得られない地域が生じる。そこで、このような品質劣化地域を減少させるため、放送局から送信された信号を受信し、増幅して送信する中継を行う中継装置が放送圏内に設置される。
【０００３】
例えば、中継装置は、受信アンテナによって、複数のチャネルによって形成されたアナログ変調信号を受信し、受信した信号を分波器に出力する。分波器は、受信した信号をチャネル単位に分離する。すなわち、分波器は、所望のチャネル以外の周波数帯域の信号を減衰させた信号を出力する。分波器は、複数の信号を複数のチャネル帯域内増幅部に出力する。チャネル帯域内増幅部のそれぞれは、チャネル単位の信号を増幅した後、中間周波数帯域の信号に変換する。また、所望のチャネル以外の信号を減衰させる帯域制限を行った後、中間周波数での増幅を行い、再び放送周波数帯域に変換してから、増幅する。増幅された複数の信号は、合波器に出力される。合波器は、複数の信号を合成する。合波器によって合成した信号は、送信アンテナを介して電磁波として送信される。
【０００４】
このような中継装置は、受信した信号を複数のチャネルに分離し、それぞれのチャネルの周波数帯域に対し個別に帯域制限および増幅等を行う。これは、互いに異なる複数のチャネル周波数帯域のアナログ変調信号が互いに影響し合って発生する相互変調による妨害波、あるいは、各チャネル周波数帯域に近い周波数帯域に重畳するノイズによって発生する妨害波をできるだけ低減させるためである（例えば、特許文献１参照。）。
【特許文献１】特開２０００−３２４０３６号公報
【発明の開示】
【発明が解決しようとする課題】
【０００５】
近年、ディジタル変調された信号を用いて情報を送信するディジタルテレビジョン放送が利用されるようになっており、アナログ変調信号とディジタル変調信号とが混在する状況となっている。このような状況下においても、前述の中継装置が使用される。一般的に、ディジタルテレビジョン放送は、従来のテレビジョン放送よりも多くのチャネルによって構成される。そのため、前述の構成では、チャネル数に応じたチャネル帯域内増幅部が必要となるので、チャネル数が増加するにつれて回路が大規模な構成となり、製造コストが増大してしまう。一方、一般的に、中継装置において受信される信号の電界強度は、チャネルごとに異なる。そのため、中継装置での増幅率がすべてのチャネルにおいて共通であれば、中継装置が送信する信号の電界強度もチャネルごとに異なる。その結果、中継装置を設置したとしても、すべてのチャネルに対して品質劣化地域を減少させる効果を得ることが困難となる。
【０００６】
本発明はこうした状況に鑑みてなされたものであり、その目的は、回路規模の増加を抑えつつ、複数のチャネルによって形成された信号を中継する中継装置を提供することにある。
【課題を解決するための手段】
【０００７】
上記課題を解決するために、本発明のある態様の中継装置は、周波数多重された複数のチャネルが含まれた信号を受信する受信部と、受信部において受信すべき信号のうち、抽出すべき少なくともふたつのチャネルを設定する設定部と、設定部において設定した少なくともふたつのチャネルを抽出するための周波数特性を生成する生成部と、生成部において生成した周波数特性によって、受信部において受信した信号から、少なくともふたつのチャネルを抽出するフィルタ部と、フィルタ部において抽出した少なくともふたつのチャネルを周波数多重された信号として送信する送信部とを備える。生成部は、少なくともふたつのチャネルのそれぞれに対して強度を測定する手段と、少なくともふたつのチャネルを抽出するような周波数特性を生成する際に、測定した強度の大きいチャネルに対する利得を小さくし、測定した強度の小さいチャネルに対する利得を大きくする手段とを含み、生成部は、複数のチャネルのそれぞれを抽出するための周波数特性を時間領域のタップ係数として予め複数種類保持しており、設定部において設定した少なくともふたつのチャネルに応じて、保持した複数種類の時間領域のタップ係数の中から該当するタップ係数を選択する手段と、設定部において設定した少なくともふたつのチャネルのそれぞれに対して、信号強度を測定し、測定した信号強度をチャネル番号に対応づけながら出力する手段と、抽出すべきチャネルのそれぞれに対応した信号強度を受けつけ、信号強度の大きいチャネルに対する利得を小さくし、信号強度の小さいチャネルに対する利得を大きくする手段と、抽出すべきチャネルに対する利得を増幅率とし、それぞれのチャネルに対応する増幅率によりタップ係数を増幅する手段と、それぞれのチャネルに対応する増幅したタップ係数を合成する手段と、を含む。
本発明の別の態様もまた、中継装置である。この装置は、周波数多重された複数のチャネルが含まれた信号を受信する受信部と、受信部において受信すべき信号のうち、抽出すべき少なくともふたつのチャネルを設定する設定部と、設定部において設定した少なくともふたつのチャネルを抽出するための周波数特性を生成する生成部と、生成部において生成した周波数特性によって、受信部において受信した信号から、少なくともふたつのチャネルを抽出するフィルタ部と、フィルタ部において抽出した少なくともふたつのチャネルを周波数多重された信号として送信する送信部とを備える。生成部は、少なくともふたつのチャネルのそれぞれに対して強度を測定する手段と、少なくともふたつのチャネルを抽出するような周波数特性を生成する際に、測定した強度の大きいチャネルに対する利得を小さくし、測定した強度の小さいチャネルに対する利得を大きくする手段とを含み、生成部は、少なくともふたつのチャネルのそれぞれを抽出するような少なくともふたつの周波数特性を切りかえながら生成する手段と、少なくともふたつのチャネルの強度を切りかえながら測定する手段と、少なくともふたつのチャネルの強度を測定した後に測定を停止する手段とを含む。
【０００８】
この態様によると、ひとつのフィルタ部に対して、所望のチャネルを抽出するための周波数特性であって、かつチャネル単位の強度を反映させた周波数特性を使用するので、回路規模の増加を抑えつつ、チャネル間の強度の差を低減できる。
【００１３】
本発明のさらに別の態様もまた、中継装置である。この装置は、周波数多重された複数のチャネルが含まれた信号を受信する受信部と、受信部において受信すべき信号のうち、抽出すべき少なくともふたつのチャネルを設定する設定部と、設定部において設定した少なくともふたつのチャネルを抽出するための周波数特性を生成する生成部と、生成部において生成した周波数特性によって、受信部において受信した信号から、少なくともふたつのチャネルを抽出するフィルタ部と、フィルタ部において抽出した少なくともふたつのチャネルを周波数多重された信号として送信する送信部とを備える。生成部は、複数のチャネルのそれぞれを抽出するための周波数特性を時間領域のタップ係数として予め複数種類保持しており、設定部において設定した少なくともふたつのチャネルに応じて、保持した複数種類の時間領域のタップ係数の中から該当するタップ係数を選択する手段と、選択したタップ係数を合成することによって、少なくともふたつのチャネルを抽出するための周波数特性を生成する手段とを含む。
【００１４】
この態様によると、時間領域のタップ係数を予め保持するので、周波数特性の値を時間領域に変換する処理を省略でき、処理量の増加を抑制できる。
【００１５】
本発明の別の態様は、受信装置である。この装置は、周波数多重された複数のチャネルが含まれた信号を受信する受信部と、受信部において受信すべき信号のうち、抽出すべき少なくともふたつのチャネルを設定する設定部と、設定部において設定した少なくともふたつのチャネルを抽出するための周波数特性を生成する生成部と、生成部において生成した周波数特性によって、受信部において受信した信号から、少なくともふたつのチャネルを抽出するフィルタ部とを備える。生成部は、少なくともふたつのチャネルのそれぞれに対して強度を測定する手段と、少なくともふたつのチャネルを抽出するような周波数特性を生成する際に、測定した強度の大きいチャネルに対する利得を小さくし、測定した強度の小さいチャネルに対する利得を大きくする手段とを含む。
【００１６】
本発明の別の態様もまた、受信装置である。この装置は、周波数多重された複数のチャネルが含まれた信号を受信する受信部と、受信部において受信すべき信号のうち、抽出すべき少なくともふたつのチャネルを設定する設定部と、設定部において設定した少なくともふたつのチャネルを別々に抽出するための周波数特性を有しながら、受信部において受信した信号から、少なくともふたつのチャネルを別々に抽出する少なくともふたつのフィルタ部と、少なくともふたつのフィルタ部において抽出した少なくともふたつのチャネルのそれぞれに対して、強度を測定する測定部と、測定部において測定した強度をもとに、少なくともふたつのチャネルのそれぞれに対する利得を設定し、設定した利得によって少なくともふたつのフィルタにおいて抽出した少なくともふたつのチャネルをそれぞれ増幅する増幅部とを備える。増幅部は、測定部において測定した強度の大きいチャネルに対する利得を小さくし、測定部において測定した強度の小さいチャネルに対する利得を大きくする。
【００１７】
本発明のさらに別の態様もまた、受信装置である。この装置は、周波数多重された複数のチャネルが含まれた信号を受信する受信部と、受信部において受信すべき信号のうち、抽出すべき少なくともふたつのチャネルを設定する設定部と、設定部において設定した少なくともふたつのチャネルを抽出するための周波数特性を生成する生成部と、生成部において生成した周波数特性によって、受信部において受信した信号から、少なくともふたつのチャネルを抽出するフィルタ部とを備える。生成部は、複数のチャネルのそれぞれを抽出するための周波数特性を時間領域のタップ係数として予め複数種類保持しており、設定部において設定した少なくともふたつのチャネルに応じて、保持した複数種類の時間領域のタップ係数の中から該当するタップ係数を選択する手段と、選択したタップ係数を合成することによって、少なくともふたつのチャネルを抽出するような周波数特性を生成する手段とを含む。
【００１８】
なお、以上の構成要素の任意の組合せ、本発明の表現を方法、装置、システム、記録媒体、コンピュータプログラムなどの間で変換したものもまた、本発明の態様として有効である。
【発明の効果】
【００１９】
本発明によれば、回路規模の増加を抑えつつ、複数のチャネルによって形成された信号を中継できる。
【発明を実施するための最良の形態】
【００２０】
本発明を具体的に説明する前に、概要を述べる。本発明の実施例は、周波数多重された複数のチャネルが含まれた信号を受信し、受信した信号を増幅してから、送信する中継装置に関する。なお、複数のチャネルには、ディジタルテレビジョン放送に対応した信号であって、かつディジタル変調された信号も含まれている。ディジタルテレビジョン放送には多くのチャネルが含まれているので、中継装置での処理がチャネル単位に実行されており、チャネル単位の処理が別の回路によって実行される場合、回路規模が大きくなってしまう。また、複数のチャネルに対する増幅率を均一な値とすると、中継装置から送信される信号において、チャネル間に送信電力の差が生じる。その結果、送信電力の小さいチャネルが存在するので、複数のチャネルに対して均一的な品質の提供が困難になる。本実施例は、以上の課題を解決するために、以下の処理を実行する。
【００２１】
本実施例に係る中継装置は、複数のチャネルのうち中継すべき少なくともふたつのチャネルを予め特定する。また、特定した少なくともふたつのチャネルを透過し、それ以外のチャネルを減衰させるような周波数特性が、ひとつのフィルタに対して設定される。ひとつのフィルタは、受信した複数のチャネルから少なくともふたつのチャネルを抽出する。また、中継装置は、抽出された少なくともふたつのチャネルのそれぞれに対して受信強度を測定する。中継装置は、前述の周波数特性を導出する際に、測定したチャネル単位の受信強度を反映させる。すなわち、受信強度が小さかったチャネルに対して増幅率を大きくし、受信強度が大きかったチャネルに対して増幅率を小さくするようにしながら、周波数特性が導出される。その結果、増幅率がチャネル単位に異なるような周波数特性が導出される。最終的に、中継装置は、抽出された少なくともふたつのチャネルを合成してから、送信する。
【００２２】
図１は、本発明の実施例に係る中継装置１００の構成を示す。中継装置１００は、受信アンテナ１０、受信フィルタ１２、受信増幅部１４、周波数変換器１６、周波数変換器２２、送信増幅部２４、送信フィルタ２６、送信アンテナ２８、Ａ／Ｄ変換器４０、ディジタル入出力フィルタ４２、Ｄ／Ａ変換器４４、局部発振器４６、チャネル入力部４８、特性算出部５０、特性合成部５２、正規化値算出部５６、電界強度測定部５８を含む。
【００２３】
受信アンテナ１０は、複数のチャネルによって形成された信号を受信する。複数のチャネルは周波数多重されている。また、複数のチャネルには、ディジタルテレビジョン放送に対応したチャネルと、従来のアナログテレビジョン放送に対応したチャネルとが含まれる。受信アンテナ１０は、受信した信号を受信フィルタ１２に出力する。受信フィルタ１２は、受信アンテナ１０において受信した信号に対して、複数のチャネル全体の帯域外の部分を減衰させる。受信増幅部１４は、受信フィルタ１２からの信号を増幅する。
【００２４】
周波数変換器１６は、受信増幅部１４からの放送周波数帯域の信号を中間周波数帯域の信号に変換し、Ａ／Ｄ変換器４０に出力する。周波数変換器１６には、受信増幅部１４からの放送周波数帯域の信号の他、局部発振器４６からの局部発振器信号Ｌ1も入力される。周波数変換器１６は、放送周波数帯域の信号に局部発振器信号Ｌ1を乗じて放送周波数帯域の信号を中間周波数帯域の信号に変換する。
【００２５】
具体的には、局部発振器信号Ｌ1の周波数をｆosc1とし、放送周波数帯域を周波数ｆ1から周波数ｆ2までの周波数帯域とすれば、中間周波数帯域は、周波数ｆ1−ｆosc1から周波数ｆ2−ｆosc1までの周波数帯域となる。ただし、ここではｆosc1＜ｆ1＜ｆ2の関係があるものとする。なお、周波数変換器１６による処理によって、周波数ｆ1＋ｆosc1から周波数ｆ2＋ｆosc1までの周波数帯域に不要なイメージ信号が発生するが、このイメージ信号は周波数変換器１６より後段の構成によって減衰される。Ａ／Ｄ変換器４０は、中間周波数帯域の信号をディジタル信号に変換し、ディジタル入出力フィルタ４２に出力する。
【００２６】
チャネル入力部４８は、受信すべき信号のうち、抽出すべき少なくともふたつのチャネルを設定する。ここで、抽出すべき少なくともふたつのチャネルは、中継装置１００によって中継されるべきチャネルに相当する。チャネル入力部４８は、ユーザに対するインターフェイスを有し、ユーザから抽出すべきチャネルに関する指示を受けつける。例えば、複数のチャネルのそれぞれに対して「チャネル番号」が規定されている場合、チャネル入力部４８は、ユーザからチャネル番号を受けつける。
【００２７】
特性算出部５０は、チャネル入力部４８において設定した少なくともふたつのチャネルを抽出するような周波数特性を生成する。特性算出部５０は、複数のチャネルのそれぞれを抽出するための周波数特性を予め記憶する。すなわち、チャネル番号と周波数特性を対応づけながら、複数のチャネル番号に対応した周波数特性を記憶する。さらに、特性算出部５０は、チャネル入力部４８において設定されたチャネル番号に対応した周波数特性を選択する。ここで、特性算出部５０は、複数のチャネルのそれぞれに対応した周波数特性を時間領域のタップ係数として予め保持し、設定した少なくともふたつのチャネルに応じて、保持した複数種類の時間領域のタップ係数の中から該当するタップ係数を選択する。
【００２８】
特性合成部５２は、特性算出部５０において選択された複数の周波数特性を合成することによって後述のディジタル入出力フィルタ４２の周波数特性を決定する。すなわち、特性合成部５２は、特性算出部５０において選択されたタップ係数を合成することによって、ディジタル入出力フィルタ４２でのタップ係数を決定する。
【００２９】
ここで、チャネル入力部４８、特性算出部５０、特性合成部５２による動作の概要を説明する。なお、前述のごとく、チャネル入力部４８、特性算出部５０、特性合成部５２は、チャネル入力部４８の時間領域のタップ係数を決定するが、ここでは、説明の簡易化のために、図２（ａ）−（ｆ）を使用しながら周波数領域の特性として説明し、時間領域の特性の説明は後述する。図２（ａ）−（ｆ）は、特性算出部５０による周波数特性の導出の概要を示す。
【００３０】
図１のチャネル入力部４８、特性算出部５０、特性合成部５２は、中継装置１００を設置する地域を放送圏とする放送局のチャネル番号の入力にもとづいて、タップ係数を算出する。図２（ａ）において前述の「チャネル番号」が第１チャネル２００から第６チャネル２１０によって示される。ここでは、図２（ａ）に示すように第５チャネル２０８がアナログテレビジョン放送システムの放送局に対して割り当てられており、第１チャネル２００から第４チャネル２０６、第６チャネル２１０がディジタルテレビジョン放送システムの放送局に対して割り当てられているとする。なお、第３チャネル２０４は、中継装置１００を設置する地域を放送圏としないディジタルテレビジョン放送システムの放送局に割り当てられているものとする。
【００３１】
チャネル入力部４８、特性算出部５０、特性合成部５２は次の（１）から（１０）に示す処理にしたがいタップ係数を算出し、後述のディジタル入出力フィルタ４２に入力する。
（１）チャネル入力部４８には、ディジタルテレビジョン放送システムの放送局のチャネル番号、およびアナログテレビジョン放送システムの放送局のチャネル番号がそれぞれ区別して入力される。ただし、入力されるチャネル番号は、中継装置１００を設置する地域を放送圏とする放送局に割り当てられているものであるとする。図２（ａ）の例では、第１チャネル２００、第２チャネル２０２、第４チャネル２０６、第６チャネル２１０がディジタルテレビジョン放送システムのチャネルとして入力され、第５チャネル２０８がアナログテレビジョン放送システムのチャネルとして入力される。チャネル入力部４８は、入力されたチャネル番号を特性算出部５０に出力する。
【００３２】
（２）特性算出部５０は、チャネル番号に対応するチャネル周波数帯域を予め記憶しており、入力されたチャネル番号に基づいて放送周波数帯域を算出する。算出された放送周波数帯域と予め定められた中間周波数帯域との関係から、局部発振器信号Ｌ1の周波数を決定し、局部発振器４６が出力する局部発振器信号Ｌ1の周波数を設定する。
（３）特性算出部５０は、算出された放送周波数帯域に含まれるチャネル周波数帯域のチャネル番号のうち、ディジタルテレビジョン放送システムのチャネル番号としても、アナログテレビジョン放送システムのチャネル番号としても入力されていないチャネル番号について、中継装置１００を設置する地域を放送圏としない放送局に割り当てられているチャネル番号であるものと認識する。当該チャネル番号に対応するチャネル周波数帯域の信号を減衰させる帯域除去特性を表す関数を算出し特性合成部５２に出力する。この関数は、周波数領域表現の関数であるものとし、以下、帯域除去特性関数とする。図２（ａ）の例では、第３チャネル２０４に相当し、帯域除去特性関数は図２（ｂ）のように示される。
【００３３】
（４）特性算出部５０は、アナログテレビジョン放送システムのチャネル番号に対応するチャネル周波数帯域の信号を減衰させる帯域除去特性関数を算出し特性合成部５２に出力する。図２（ａ）の例において、アナログテレビジョン放送システムは第５チャネル２０８に相当するので、帯域除去特性関数は図２（ｃ）のように示される。
（５）特性算出部５０は、ディジタルテレビジョン放送システムのチャネル番号のうち、抽出すべきチャネル周波数帯域が最も低域にあるものを検索する。
（６）特性算出部５０は、検索したチャネル番号に対応するチャネル周波数帯域の低域端をカットオフ周波数とする高域通過特性を表す関数を算出し特性合成部５２に出力する。この関数は、周波数領域表現の関数であるものとし、以下、高域通過特性関数とする。図２（ａ）の例では、チャネル周波数帯域が最も低域にあるディジタルテレビジョン放送システムのチャネルは、第１チャネル２００であり、高域通過特性関数は図２（ｄ）のように示される。
【００３４】
（７）特性算出部５０は、ディジタルテレビジョン放送システムのチャネル番号のうち、抽出すべきチャネル周波数帯域が最も高域にあるものを検索する。
（８）特性算出部５０は、検索したチャネル番号に対応するチャネル周波数帯域の高域端をカットオフ周波数とする低域通過特性を表す関数を算出し特性合成部５２に出力する。この関数は、周波数領域表現の関数であるものとし、以下、低域通過特性関数とする。図２（ａ）の例では、チャネル周波数帯域が最も高域にあるディジタルテレビジョン放送システムのチャネルは第６チャネル２１０であり、低域通過特性関数は図２（ｅ）のように示される。
（９）特性合成部５２は、帯域除去特性関数、高域通過特性関数、および低域通過特性関数を乗じた特性関数を算出する。図２（ａ）の例では、算出される特性関数は図２（ｆ）のように示される。
（１０）特性合成部５２は、特性関数に逆フーリエ変換を施して時間領域表現の特性関数を算出し、これを離散化することでタップ係数を算出し、後述のディジタル入出力フィルタ４２に出力する。
【００３５】
図１に戻る。ディジタル入出力フィルタ４２は、特性合成部５２によって設定されたタップ係数によって、Ａ／Ｄ変換器４０からの信号のうち、少なくともふたつのチャネルを抽出する。すなわち、ディジタル入出力フィルタ４２にはタップ係数が設定されることによって、ディジタル入出力フィルタ４２のフィルタ特性が決定される。本実施例では、タップ係数は、特性合成部５２から入力される。なお、ディジタル入出力フィルタ４２は、ＦＩＲ（Ｆｉｎｉｔｅ  Ｉｍｐｕｌｓｅ  Ｒｅｓｐｏｎｓｅ）フィルタによって構成される。ディジタル入出力フィルタ４２は、帯域制限を施した中間周波数帯域の信号をＤ／Ａ変換器４４に入力する。
【００３６】
なお、本実施例における特性算出部５０の動作には、上述した説明に別の動作が付加される。付加される動作を説明する前に、これまでの説明によってディジタル入出力フィルタ４２から出力された信号に対する課題を図３（ａ）−（ｃ）を使用しながら説明する。図３（ａ）−（ｃ）は、特性算出部５０によって導出される周波数特性の課題を示す。図３（ａ）は、図２（ａ）と同様にディジタル入出力フィルタ４２に入力される信号を示す。第１チャネル２００、第３チャネル２０４、第４チャネル２０６、第６チャネル２１０から第８チャネル２１４が前述のディジタルテレビジョン放送システムのチャネルとして入力され、第２チャネル２０２、第５チャネル２０８がアナログテレビジョン放送システムのチャネルとして入力される。なお、フェージング等の影響によって、第１チャネル２００、第３チャネル２０４、第４チャネル２０６、第６チャネル２１０から第８チャネル２１４のそれぞれに対する信号強度は、異なっている。
【００３７】
図３（ｂ）は、特性算出部５０によって算出された後に特性合成部５２によって合成された周波数特性を示す。これは、ディジタル入出力フィルタ４２での周波数特性に相当する。なお、図３（ｂ）は、図２（ｆ）に対応する。図３（ｃ）は、ディジタル入出力フィルタ４２によって出力された信号を示す。図示のごとく、ディジタルテレビジョン放送システムに対応したチャネルが抽出されている。また、抽出されたそれぞれのチャネルに対する信号強度は、図３（ａ）と同様に異なっている。すなわち、図３（ｂ）によって設定された周波数特性は、第１チャネル２００、第３チャネル２０４、第４チャネル２０６、第６チャネル２１０から第８チャネル２１４に対して均一的な増幅率を有しているので、図３（ｃ）の信号強度には、図３（ａ）の信号強度が反映される。その結果、信号強度の小さいチャネルが存在するので、複数のチャネルに対して均一的な品質の提供が困難になる。このような課題を解決するために、特性算出部５０は、付加的な動作を実行する。
【００３８】
図１に戻る。電界強度測定部５８は、ディジタル入出力フィルタ４２からの少なくともふたつのチャネルのそれぞれに対して、信号強度を測定する。具体的には、電界強度測定部５８は、チャネルのそれぞれに対して、チャネルの帯域内での信号強度を測定する。すなわち、電界強度測定部５８は、ディジタル入出力フィルタ４２から入力された時間領域の信号を離散フーリエ変換によって周波数領域の信号に変換する。ここで、周波数領域の信号は、周波数の値に対応した数値データとして示される。さらに、電界強度測定部５８は、数値データをチャネル単位に積算することによって、チャネルの信号強度を導出する。電界強度測定部５８は、測定した信号強度をチャネル番号に対応づけながら、正規化値算出部５６に出力する。また、正規化値算出部５６は、電界強度測定部５８から抽出すべきチャネルのそれぞれに対応した信号強度を受けつける。正規化値算出部５６は、周波数特性を生成する際に、信号強度の大きいチャネルに対する利得を小さくし、信号強度の小さいチャネルに対する利得を大きくする。例えば、正規化値算出部５６は、信号強度の逆数に対応した値を導出し、当該信号強度に対応したチャネルでの増幅率とする。特性算出部５０は、正規化値算出部５６によって導出した利得を反映しながら、前述のごとく、少なくともふたつのチャネルを抽出するような周波数特性を生成する。詳細は後述する。
【００３９】
以上のような動作によってディジタル入出力フィルタ４２から出力された信号を図４（ａ）−（ｃ）を使用しながら説明する。なお、図４（ａ）−（ｃ）は、図３（ａ）−（ｃ）にそれぞれ対応する。図４（ａ）は、図３（ａ）と同一である。図４（ｂ）は、図３（ｂ）と同様に、特性算出部５０によって算出された後に特性合成部５２によって合成された周波数特性を示す。前述のごとく、電界強度測定部５８によって測定された信号強度をもとに、特性算出部５０は、各チャネルに対する増幅率を変えながら、周波数特性が導出される。そのため、図４（ａ）での第１チャネル２００や第７チャネル２１２のごとく、受信した信号の強度が大きいチャネルに対して、小さい値の増幅率が導出される。また、図４（ａ）での第３チャネル２０４や第６チャネル２１０のごとく、受信した信号の強度が小さいチャネルに対して、大きい値の増幅率が導出される。図４（ｃ）は、ディジタル入出力フィルタ４２によって出力された信号を示す。図示のごとく、抽出されたそれぞれのチャネルに対する信号強度が同等の値となっている。
【００４０】
図１に戻る。Ｄ／Ａ変換器４４は、入力された信号をアナログ信号に変換し周波数変換器２２に入力する。周波数変換器２２は、中間周波数帯域の信号を放送周波数帯域の信号に変換し、送信増幅部２４に入力する。周波数変換器２２は、中間周波数帯域の信号に局部発振器信号Ｌ1を乗じて中間周波数帯域の信号を放送周波数帯域の信号に変換する。なお、周波数変換器２２によって変換された信号の放送周波数帯域と、受信アンテナ１０において入力された信号の放送周波数帯域が、同等であれば、両者の間において回り込み波が生じる。そのため、中継装置１００には、図示しない回り込みキャンセラが備えられていてもよい。ここで、回り込みキャンセラは公知の技術によって実現されるので、説明を省略する。
【００４１】
送信増幅部２４は、放送周波数帯域の信号を増幅し、送信フィルタ２６に入力する。送信フィルタ２６は、入力された信号の放送周波数帯域外に含まれるイメージ信号、送信増幅部２４の非線形性による高調波成分信号等を減衰し、送信アンテナ２８に入力する。送信アンテナ２８は、入力された信号を電磁波として送信する。すなわち、ディジタル入出力フィルタ４２において抽出した少なくともふたつのチャネルが周波数多重された信号として送信される。
【００４２】
この構成は、ハードウエア的には、任意のコンピュータのＣＰＵ、メモリ、その他のＬＳＩで実現でき、ソフトウエア的にはメモリにロードされた通信機能のあるプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００４３】
図５は、特性算出部５０の構成を示す。特性算出部５０は、メモリ６０と総称される第１メモリ６０ａ、第２メモリ６０ｂ、第３メモリ６０ｃ、第４メモリ６０ｄ、第５メモリ６０ｅ、第６メモリ６０ｆ、第７メモリ６０ｇ、第８メモリ６０ｈ、スイッチ６２と総称される第１スイッチ６２ａ、第２スイッチ６２ｂ、第３スイッチ６２ｃ、第４スイッチ６２ｄ、第５スイッチ６２ｅ、第６スイッチ６２ｆ、第７スイッチ６２ｇ、第８スイッチ６２ｈ、増幅部６４と総称される第１増幅部６４ａ、第２増幅部６４ｂ、第３増幅部６４ｃ、第４増幅部６４ｄ、第５増幅部６４ｅ、第６増幅部６４ｆ、第７増幅部６４ｇ、第８増幅部６４ｈを含む。
【００４４】
メモリ６０は、それぞれのチャネルを抽出するための周波数特性に対応した時間領域の波形を記憶する。ここで、第１メモリ６０ａは、図４（ａ）の第１チャネル２００を抽出するための周波数特性に対応した時間領域の波形を記憶する。第１メモリ６０ａ以外のメモリ６０についても同様であり、ひとつのメモリ６０には、ひとつのチャネルを抽出するための周波数領域に対応した時間領域の波形が記憶される。図６（ａ）−（ｈ）は、メモリ６０に記憶された波形を示す。図６（ａ）−（ｈ）の左側には、各チャネルを抽出するための周波数特性が示されている。ここで、図６（ａ）は、第１チャネル２００に対応しており、図６（ｂ）−（ｈ）も、同様に第２チャネル２０２から第８チャネル２１４にそれぞれ対応する。図６（ａ）−（ｈ）に右側には、左側の周波数特性に対応した時間領域の波形が示される。これらが、メモリ６０にそれぞれ記憶されている。
【００４５】
図５に戻る。チャネル入力部４８から抽出すべきチャネルに関する情報が入力されると、スイッチ６２は、対応したチャネルをオンにする。図４（ａ）の例では、第１チャネル２００、第３チャネル２０４、第４チャネル２０６、第６チャネル２１０、第７チャネル２１２、第８チャネル２１４が選択されるので、第１スイッチ６２ａ、第３スイッチ６２ｃ、第４スイッチ６２ｄ、第６スイッチ６２ｆ、第７スイッチ６２ｇ、第８スイッチ６２ｈがオンにされる。残りのスイッチ６２は、オフにされる。
【００４６】
増幅部６４は、正規化値算出部５６から増幅率を受けつけ、受けつけた増幅率によって、スイッチ６２からの波形を増幅する。前述のごとく、正規化値算出部５６から増幅率は、一般的にチャネルを単位にして異なった値を有するので、増幅部６４は、チャネルを単位にして異なった振幅の波形を出力する。特性合成部５２は、増幅部６４によって増幅された波形を受けつけ、受けつけた波形を合成することによって、タップ係数を生成する。なお、特性合成部５２での合成は、正規化時間のそれぞれの値を単位にして実行される。特性合成部５２は、生成したタップ係数をディジタル入出力フィルタ４２に出力する。ディジタル入出力フィルタ４２は、受けつけたタップ係数を設定する。
【００４７】
以上の構成による中継装置１００の動作を説明する。チャネル入力部４８は、抽出すべきチャネルを予め受けつける。特性算出部５０と特性合成部５２は、抽出すべきチャネルに応じてタップ係数を生成する。タップ係数は、ディジタル入出力フィルタ４２に設定される。また、ディジタル入出力フィルタ４２は、受信アンテナ１０を介して受信した信号を入力し、受信した信号から所望のチャネルを抽出する。抽出されたチャネルの信号は、送信される。ここで、電界強度測定部５８は、抽出されたチャネルのそれぞれに対して信号強度を測定し、正規化値算出部５６は、信号強度に応じて、チャネル単位の増幅率を導出する。特性算出部５０と特性合成部５２は、タップ係数を生成する際に、チャネル単位の増幅率を反映させる。
【００４８】
本発明の実施例によれば、ひとつのディジタル入出力フィルタに対して、所望のチャネルを抽出するような周波数特性であって、かつチャネル単位の信号強度を反映させた周波数特性を使用するので、回路規模の増加を抑えつつ、チャネル間の信号強度の差を低減できる。また、抽出すべきチャネルはユーザによって設定可能であるので、必要に応じて抽出すべきチャネルを容易に変更できる。また、信号強度の測定結果をタップ係数に反映させるので、実際の受信状況に応じた制御を実行できる。また、実際の受信状況に応じた制御を実行するので、伝搬路の変動にも追従できる。また、チャネル間の信号強度の差を低減できるので、すべてのチャネルに対して品質劣化地域を減少させることができる。また、時間領域のタップ係数を予め保持するので、周波数特性の値を時間領域に変換する処理を省略でき、処理量の増加を抑制できる。
【００４９】
また、近隣のチャネル周波数帯域内に発生させる相互変調信号の影響は、アナログ変調信号によるものである場合に比してディジタル変調信号によるものである場合の方が小さいことを利用することによって、ディジタル入出力フィルタをひとつにできる。また、周波数変換の際に近隣のチャネル周波数帯域内に発生させる妨害波等、各チャネル周波数帯域に近い周波数帯域に重畳するノイズによって発生する妨害波の影響も、アナログ変調信号によるものである場合に比してディジタル変調信号によるものである場合の方が小さいので、ディジタル入出力フィルタをひとつにできる。これは、アナログ変調信号が、狭い周波数帯域内に大きな電力が集中している信号であるのに対し、ディジタル変調信号はチャネル周波数帯域内で一様な密度を以て電力が分布している信号であることによるものである。すなわち、同一電力の信号であれば、周波数領域における電力密度が低い信号程、近隣のチャネル周波数帯域に及ぼす影響は小さいといえる。
【００５０】
（変形例１）
本発明の変形例１は、実施例と同様に、チャネル単位に増幅率を調節したタップ係数が使用される中継装置に関する。しかしながら、実施例では、増幅率の調整をフィードバック処理によって実行しているのに対し、変形例１では、増幅率の調整をフィードフォワード処理によって実行している。
【００５１】
図７は、本発明の変形例１に係る中継装置１００の構成を示す。図７の中継装置１００に含まれる構成要素は、図１の中継装置１００に含まれる構成要素と同一であるので説明を省略する。電界強度測定部５８は、ディジタル入出力フィルタ４２からの信号ではなく、Ａ／Ｄ変換器４０からの信号を入力する。電界強度測定部５８は、ディジタル入出力フィルタ４２からの信号に含まれた少なくともふたつのチャネルのそれぞれに対して、信号強度を測定する。信号強度の測定は、実施例と同様になされる。正規化値算出部５６は、電界強度測定部５８からの信号強度をもとに、前述のごとく、少なくともふたつのチャネルのそれぞれに対応した増幅率を導出する。また、特性算出部５０は、正規化値算出部５６によって導出した利得を反映しながら、前述のごとく、少なくともふたつのチャネルを抽出するような周波数特性を生成する。
【００５２】
以上の構成による中継装置１００の動作を説明する。チャネル入力部４８は、抽出すべきチャネルを予め受けつける。特性算出部５０と特性合成部５２は、抽出すべきチャネルに応じてタップ係数を生成する。ここで、電界強度測定部５８は、受信した信号に含まれたチャネルのそれぞれに対して信号強度を測定し、正規化値算出部５６は、信号強度に応じて、チャネル単位の増幅率を導出する。特性算出部５０と特性合成部５２は、タップ係数を生成する際に、チャネル単位の増幅率を反映させる。タップ係数は、ディジタル入出力フィルタ４２に設定される。また、ディジタル入出力フィルタ４２は、受信アンテナ１０を介して受信した信号を入力し、受信した信号から所望のチャネルを抽出する。抽出されたチャネルの信号は、送信される。
【００５３】
本発明の変形例１によれば、ひとつのディジタル入出力フィルタに対して、所望のチャネルを抽出するような周波数特性であって、かつチャネル単位の信号強度を反映させた周波数特性を使用するので、回路規模の増加を抑えつつ、チャネル間の信号強度の差を低減できる。また、抽出すべきチャネルはユーザによって設定可能であるので、必要に応じて抽出すべきチャネルを容易に変更できる。また、信号強度の測定結果をタップ係数に反映させるので、実際の受信状況に応じた制御を実行できる。また、実際の受信状況に応じた制御を実行するので、伝搬路の変動にも追従できる。また、増幅率の制御をフィードフォワード制御によって実行するので、伝搬路の変動がある程度高速であっても、追従できる。チャネル間の信号強度の差を低減できるので、すべてのチャネルに対して品質劣化地域を減少させることができる。また、時間領域のタップ係数を予め保持するので、周波数特性の値を時間領域に変換する処理を省略でき、処理量の増加を抑制できる。
【００５４】
（変形例２）
本発明の変形例２も、実施例と同様に、チャネル単位に増幅率を調節したタップ係数が使用される中継装置に関する。実施例では、複数のチャネルに対する信号強度を並列に測定している。しかしながら、変形例２は、ひとつのチャネルに対する信号強度を測定してから、別のチャネルに対する信号強度を測定する。
【００５５】
図８は、本発明の変形例に係る中継装置１００の構成を示す。図８の中継装置１００は、図１の中継装置１００にスイッチ７０が付加される。それ以外の図８の中継装置１００の構成は、図１の中継装置１００の構成と同一であるので、説明を省略する。なお、実施例２に係る中継装置１００は、中継動作を実行している場合ではなく、その前段において受信動作を実行している場合に増幅率の調節を実行する。
【００５６】
特性算出部５０、特性合成部５２は、少なくともふたつのチャネルのそれぞれを抽出するような少なくともふたつの周波数特性を切りかえながら生成する。すなわち、各チャネルを透過させるタップ係数を切りかえながら出力される。ディジタル入出力フィルタ４２は、特性合成部５２からのタップ係数を切りかえながら設定する。その結果、ディジタル入出力フィルタ４２は、ひとつのチャネルに相当した信号を出力し、所定期間経過後、別のチャネルに相当した信号を出力する。
【００５７】
電界強度測定部５８は、少なくともふたつのチャネルの信号強度を切りかえながら測定する。なお、電界強度測定部５８は、現在測定している信号に対応したチャネルに関する情報をチャネル入力部４８から受けつける。電界強度測定部５８における測定には、公知の技術が使用されるので、ここでは、説明を省略する。電界強度測定部５８は、測定した結果を正規化値算出部５６に出力する。正規化値算出部５６、特性算出部５０、特性合成部５２は、実施例と同様にタップ係数を決定する。なお、電界強度測定部５８は、少なくともふたつのチャネルの信号強度を測定すると測定を停止する。また、電界強度測定部５８は、測定を停止すると、スイッチ７０をオフからオンに切りかえる。その後、中継装置１００は、中継動作を実行する。
【００５８】
以上の構成による中継装置１００の動作を説明する。チャネル入力部４８は、抽出すべきチャネルを予め受けつける。受信動作モードにおいて、特性算出部５０と特性合成部５２は、抽出すべきチャネルのうちのひとつに応じてタップ係数を生成する。タップ係数は、ディジタル入出力フィルタ４２に設定される。また、ディジタル入出力フィルタ４２は、受信アンテナ１０を介して受信した信号を入力し、受信した信号からひとつのチャネルを抽出する。ここで、電界強度測定部５８は、ひとつのチャネルのそれぞれに対して信号強度を測定する。また、特性算出部５０、特性合成部５２、ディジタル入出力フィルタ４２、電界強度測定部５８は、別のチャネルに対しても同様に信号強度を測定する。正規化値算出部５６は、信号強度に応じて、チャネル単位の増幅率を導出する。
【００５９】
中継動作モードにおいて、特性算出部５０と特性合成部５２は、抽出すべきチャネルに応じてタップ係数を生成する。特性算出部５０と特性合成部５２は、タップ係数を生成する際に、チャネル単位の増幅率を反映させる。タップ係数は、ディジタル入出力フィルタ４２に設定される。また、ディジタル入出力フィルタ４２は、受信アンテナ１０を介して受信した信号を入力し、受信した信号から所望のチャネルを抽出する。抽出されたチャネルの信号は、送信される。
【００６０】
本発明の変形例２によれば、所定の瞬間において、ひとつのチャネルの強度を測定するので、瞬時の処理量を低減できる。また、ひとつのチャネルの強度を測定するだけでよいので、回路規模の増加を抑制できる。
【００６１】
（変形例３）
本発明の変形例３は、実施例と同様に、チャネル単位に増幅率を調節する中継装置に関する。実施例では、ひとつのディジタル入出力フィルタが備えられており、チャネル単位に増幅率を調節したタップ係数が使用される。しかしながら、変形例３では、複数のチャネルのそれぞれに対応するようにディジタル入出力フィルタが備えられており、各ディジタル入出力フィルタに対して固定の値のタップ係数が使用される。また、変形例３は、複数のディジタル入出力フィルタから出力された信号に対して、チャネル単位に振幅を調節する。以上の処理によって、変形例３は、電界強度測定部の処理量を低減する。
【００６２】
図９は、本発明の変形例３に係る中継装置１００の構成を示す。中継装置１００は、ディジタル入出力フィルタ４２と総称される第１ディジタル入出力フィルタ４２ａ、第２ディジタル入出力フィルタ４２ｂ、第３ディジタル入出力フィルタ４２ｃ、第４ディジタル入出力フィルタ４２ｄ、第８ディジタル入出力フィルタ４２ｈ、増幅部６４と総称される第１増幅部６４ａ、第２増幅部６４ｂ、第３増幅部６４ｃ、第４増幅部６４ｄ、第８増幅部６４ｈ、合成部７２を含む。これら以外の構成要素は、図１の中継装置１００と同様であるので、説明を省略する。
【００６３】
チャネル入力部４８は、受信部において受信すべき信号のうち、抽出すべき少なくともふたつのチャネルを設定する。前述のごとく、チャネル入力部４８は、ユーザに対するインターフェイスを有し、ユーザから抽出すべきチャネルに関する指示を受けつける。特性算出部５０は、複数のチャネル番号の中から、チャネル入力部４８において設定されたチャネル番号を選択する。特性合成部５２は、特性算出部５０において選択されたチャネル番号に対応したディジタル入出力フィルタ４２に対して、動作することを指示する。例えば、図４の第１チャネル２００が選択されれば、特性合成部５２は、第１ディジタル入出力フィルタ４２ａに動作を指示する。
【００６４】
複数のディジタル入出力フィルタ４２は、それぞれに対応したチャネルを抽出するための周波数特性を予め記憶する。すなわち、ひとつのディジタル入出力フィルタ４２がひとつのチャネルを抽出する。また、複数のディジタル入出力フィルタ４２のうち、特性合成部５２によって選択されたものが動作し、それ以外のものは動作を停止する。ディジタル入出力フィルタ４２は、Ａ／Ｄ変換器４０からの信号に対して、少なくともふたつのチャネルを別々に抽出する。
【００６５】
電界強度測定部５８、正規化値算出部５６は、実施例と同様に動作し、正規化値算出部５６は、チャネル単位に増幅率を導出する。前述のごとく、正規化値算出部５６は、強度の大きいチャネルに対する増幅率を小さくし、強度の小さいチャネルに対する増幅率を大きくする。増幅部６４は、正規化値算出部５６において導出された増幅率であって、かつ少なくともふたつのチャネルのそれぞれに対する増幅率を設定する。また、増幅部６４は、設定した増幅率によって少なくともふたつディジタル入出力フィルタ４２において抽出した少なくともふたつのチャネルをそれぞれ増幅する。合成部７２は、増幅部６４において増幅した少なくともふたつのチャネルを合成し、周波数多重された信号を生成する。
【００６６】
本発明の変形例３によれば、複数のディジタル入出力フィルタに対して予め保持した周波数特性のうち、抽出すべきチャネルに対応した値をそのまま使用するので、処理を簡易にできる。また、処理を簡易にできるので、回路規模の増加を抑制できる。また、チャネル単位の強度を反映させた増幅率を使用するので、チャネル間の信号強度の差を低減できる。
【００６７】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００６８】
本発明の実施例において、特性算出部５０と特性合成部５２は、正規化値算出部５６によって導出された増幅率を使用しながら、ディジタル入出力フィルタ４２のタップ係数を導出する。しかしながらこれに限らず例えば、特性算出部５０と特性合成部５２は、正規化値算出部５６によって導出された増幅率を使用せずに、ディジタル入出力フィルタ４２のタップ係数を導出してもよい。すなわち、チャネル入力部４８は、受信すべき信号のうち、抽出すべき少なくともふたつのチャネルを設定し、特性算出部５０と特性合成部５２は、設定した少なくともふたつのチャネルを抽出するような周波数特性を生成する。ここで、特性算出部５０は、複数のチャネルのそれぞれを抽出するための周波数特性を時間領域のタップ係数として予め複数種類保持しており、チャネル入力部４８において設定した少なくともふたつのチャネルに応じて、保持した複数種類の時間領域のタップ係数の中から該当するタップ係数を選択する。また、特性合成部５２は、選択したタップ係数を合成することによって、少なくともふたつのチャネルを抽出するような周波数特性を生成する。ディジタル入出力フィルタ４２は、生成した周波数特性によって、受信した信号から、少なくともふたつのチャネルを抽出する。送信増幅部２４は、抽出した少なくともふたつのチャネルを周波数多重された信号として送信する。本変形例によれば、時間領域のタップ係数を予め保持するので、周波数特性の値を時間領域に変換する処理を省略でき、処理量の増加を抑制できる。つまり、ディジタル入出力フィルタ４２がひとつにできればよい。
【００６９】
本発明の実施例および変形例１から３において、中継装置１００を説明している。しかしながらこれに限らず例えば、本発明は、受信装置に適用されてもよい。受信装置の構成は、実施例および変形例１から３の中継装置１００のうち、送信に関する機能を省略したものに相当する。本変形例によれば、複数のチューナを備えた受信装置において、複数のチャネルをほぼ均一の品質にて受信できる。
【図面の簡単な説明】
【００７０】
【図１】本発明の実施例に係る中継装置の構成を示す図である。
【図２】図２（ａ）−（ｆ）は、図１の特性算出部による周波数特性の導出の概要を示す図である。
【図３】図３（ａ）−（ｃ）は、図１の特性算出部によって導出される周波数特性の課題を示す図である。
【図４】図４（ａ）−（ｃ）は、それぞれ、ディジタル入出力フィルタへの入力信号スペクトル、図１の特性算出部によって導出される周波数特性、ディジタル入出力フィルタの出力信号スペクトラムを示す図である。
【図５】図１の特性算出部の構成を示す図である。
【図６】図６（ａ）−（ｈ）は、図５のメモリに記憶された波形を示す図である。
【図７】本発明の変形例１に係る中継装置の構成を示す図である。
【図８】本発明の変形例２に係る中継装置の構成を示す図である。
【図９】本発明の変形例３に係る中継装置の構成を示す図である。
【符号の説明】
【００７１】
１０  受信アンテナ、  １２  受信フィルタ、  １４  受信増幅部、  １６  周波数変換器、  ２２  周波数変換器、  ２４  送信増幅部、  ２６  送信フィルタ、  ２８  送信アンテナ、  ４０  Ａ／Ｄ変換器、  ４２  ディジタル入出力フィルタ、  ４４  Ｄ／Ａ変換器、  ４６  局部発振器、  ４８  チャネル入力部、  ５０  特性算出部、  ５２  特性合成部、  ５６  正規化値算出部、  ５８  電界強度測定部、  １００  中継装置。
【図１】
0004603462.tif 000002
【図２】
0004603462.tif 000003
【図３】
0004603462.tif 000004
【図４】
0004603462.tif 000005
【図５】
0004603462.tif 000006
【図６】
0004603462.tif 000007
【図７】
0004603462.tif 000008
【図８】
0004603462.tif 000009
【図９】
0004603462.tif 000010